(57)【特許請求の範囲】
【請求項１】
安全作業のため矩形状のネット（１１）を張って作業場を区画するための作業場区画ネット（１０）であって、
前記ネットの一方の側辺の上端および下端にそれぞれ取り付けられた上側および下側フック（１２ａ，１２ｂ）と、
前記ネットの他方の側辺が固定されたネット付支持杭（２０）と、
前記上側および下側フックをそれぞれ引っ掛けて前記ネットを前記ネット付支持杭との間で張るための支持杭（３０）とを具備し、
前記ネット付支持杭が、前記ネットを収納する際に該ネット付支持杭を手動で転がしていくための手動回転手段を備え、
前記手動回転手段に、前記ネットを収納した際に前記上側および下側フックをそれぞれ引っ掛けるための上側および下側フック引掛手段が備えられている、
ことを特徴とする、作業場区画ネット。
【請求項２】
前記手動回転手段が、上側円板（２２）および下側円板（２３）であり、
前記上側フック引掛手段が、前記上側フックを引っ掛けるための少なくとも２個の上側引掛手段（２２ｃ1，２２ｃ2）であり、
前記下側フック引掛手段が、前記下側フックを引っ掛けるための少なくとも２個の下側引掛手段（２３ｃ1，２３ｃ2）であり、
前記ネット付支持杭が、
円柱状の杭（２１）と、
該杭の上端部に取り付けられた、かつ、該杭を貫通させるための上側貫通孔（２２ｂ）が中央部に形成された前記上側円板と、
前記杭の下端部に取り付けられた、かつ、該杭を貫通させるための下側貫通孔（２３ｂ）が中央部に形成された、かつ、前記上側円板と同じ径の前記下側円板とを備え、
前記ネットの前記他方の側辺が、前記杭の外周面の前記上側円板と前記下側円板との間に固定されており、
前記少なくとも２個の前記上側引掛手段が、前記上側円板に取り付けられており、
前記少なくとも２個の下側引掛手段が、前記下側円板に取り付けられている、
ことを特徴とする、請求項１記載の作業場区画ネット。
【請求項３】
前記上側円板が、
中央部に前記上側貫通孔が形成された円板状の上側本体（２２ａ）と、
該上側本体の下面の外周面近傍に該上側本体の中心を中心とする同心円上に一定の間隔をもって形成された少なくとも２個の上側穴の中央部に、長手方向が該上側本体の径方向となるようにそれぞれ取り付けられた少なくとも２個の上側引掛ピン（２２ｃ1，２２ｃ2）とを備え、
前記下側円板が、
中央部に前記下側貫通孔（２３ｂ）が形成された円板状の下側本体（２３ａ）と、
該下側本体の上面の外周面近傍に該下側本体の中心を中心とする同心円上に一定の間隔をもって形成された少なくとも２個の下側穴の中央部に、長手方向が該下側本体の径方向となるようにそれぞれ取り付けられた少なくとも２個の下側引掛ピン（２３ｃ1，２３2）とを備える、
ことを特徴とする、請求項２記載の作業場区画ネット。
【請求項４】
前記支持杭が、
円柱状の他の杭（３１）と、
該他の杭の上端部に取り付けられた、かつ、該他の杭を貫通させるための他の上側貫通孔（３２ｂ）が中央部に形成された他の上側円板（３２）と、
前記他の杭の下端部に取り付けられた、かつ、該他の杭を貫通させるための第２の下側貫通孔（３３ｂ）が中央部に形成された、かつ、前記他の上側円板と同じ径の他の下側円板（３３）とを備え、
前記他の上側円板に、前記上側フックを引っ掛けるための少なくとも２個の他の上側引掛手段（３２ｃ1，３２ｃ2）が取り付けられており、
前記他の下側円板に、前記下側フックを引っ掛けるための少なくとも２個の他の下側引掛手段（３３ｃ1，３３ｃ2）が取り付けられている、
ことを特徴とする、請求項２または３記載の作業場区画ネット。
【請求項５】
前記他の上側円板が、
中央部に前記他の上側貫通孔（３２ｂ）が形成された円板状の他の上側本体（３２ａ）と、
該他の上側本体の下面の外周面近傍に該他の上側本体の中心を中心とする同心円上に一定の間隔をもって形成された少なくとも２個の他の上側穴の中央部に、長手方向が該他の上側本体の径方向となるようにそれぞれ取り付けられた少なくとも２個の他の上側引掛ピン（３２ｃ1，３２ｃ2）とを備え、
前記他の下側円板が、
中央部に前記他の下側貫通孔が形成された円板状の他の下側本体（３３ａ）と、
該他の下側本体の上面の外周面近傍に該他の下側本体の中心を中心とする同心円上に一定の間隔をもって形成された少なくとも２個の他の下側穴の中央部に、長手方向が該他の下側本体の径方向となるようにそれぞれ取り付けられた少なくとも２個の他の下側引掛ピン（３３ｃ1，３３2）とを備える、
ことを特徴とする、請求項４記載の作業場区画ネット。
【発明の詳細な説明】
【技術分野】
【０００１】
本発明は、安全作業のためネットを張って作業場（作業対象範囲）を区画するのに好適な作業場区画ネットに関する。
【背景技術】
【０００２】
従来、電力会社では、安全作業を行うために、紅白ネット（上半分が赤色で下半分が白色の矩形状の樹脂性ネットなど）を張って作業場を区画する作業場区画ネットが使用されている。
しかし、このような作業場区画ネットは、収納（折畳み）時に紅白ネットが絡まり易くなって展開（敷設）時に手間がかかり、ネット張設作業が煩雑になって作業性が悪いことが問題になっていた。
【０００３】
このような問題の解決手法として、下記の特許文献１には、収納・展開作業が極めて容易でコンパクトに収納できるとともに軽量化を図り取扱性を向上させるように、網地を無結節網で編成するとともに、網地が張設状態から取り外した際に太径ロープ状に復元する剛性を備えた作業場区画ネットが開示されている。
【０００４】
また、下記の特許文献２には、任意の位置に短時間で設置できるとともにコンパクトに小さく収納できるように、立入禁止区画を設置するための２本の支柱間にガードを張設するバリケードにおいて、合成繊維または合成樹脂製のネットからなるガードを一方の支柱内に巻き取って収納し得るようにした巻き取り式バリケードが開示されている。
【先行技術文献】
【特許文献】
【０００５】
【特許文献１】特開２０００−０９６４０２号公報
【特許文献２】実用新案登録第３０７３３９１号公報
【発明の概要】
【発明が解決しようとする課題】
【０００６】
しかしながら、上記の特許文献１に開示された作業場区画ネットでは、結節のない貫通式の無結節網で編成されるとともに張設状態から取り外した際に太径ロープ状に復元する剛性を備えた網地とする必要があるため、既存の樹脂性ネットなどを使用する作業場区画ネットには適用できないという問題がある。
また、上記の特許文献２に開示された巻き取り式バリケードでは、２本の支柱のうちの一方の支柱にネットを収納するため、ネット収納時には、一方の支柱に設けた欠切部内に他方の支柱を収納させたのちにバンドで締結する必要があり、ネット収納作業に手間がかかるという問題がある。
【０００７】
本発明の目的は、特殊な網地のネットを使用しなくてもネット収納作業を容易に行うことができる作業場区画ネットを提供することにある。
【課題を解決するための手段】
【０００８】
本発明の作業場区画ネットは、安全作業のため矩形状のネット（１１）を張って作業場を区画するための作業場区画ネット（１０）であって、前記ネットの一方の側辺の上端および下端にそれぞれ取り付けられた上側および下側フック（１２ａ，１２ｂ）と、前記ネットの他方の側辺が固定されたネット付支持杭（２０）と、前記上側および下側フックをそれぞれ引っ掛けて前記ネットを前記ネット付支持杭との間で張るための支持杭（３０）とを具備し、前記ネット付支持杭が、前記ネットを収納する際に該ネット付支持杭を手動で転がしていくための手動回転手段を備え、前記手動回転手段に、前記ネットを収納した際に前記上側および下側フックをそれぞれ引っ掛けるための上側および下側フック引掛手段が備えられていることを特徴とする。
ここで、前記手動回転手段が、上側円板（２２）および下側円板（２３）であり、前記上側フック引掛手段が、前記上側フックを引っ掛けるための少なくとも２個の上側引掛手段（２２ｃ1，２２ｃ2）であり、前記下側フック引掛手段が、前記下側フックを引っ掛けるための少なくとも２個の下側引掛手段（２３ｃ1，２３ｃ2）であり、前記ネット付支持杭が、円柱状の杭（２１）と、該杭の上端部に取り付けられた、かつ、該杭を貫通させるための上側貫通孔（２２ｂ）が中央部に形成された前記上側円板と、前記杭の下端部に取り付けられた、かつ、該杭を貫通させるための下側貫通孔（２３ｂ）が中央部に形成された、かつ、前記上側円板と同じ径の前記下側円板とを備え、前記ネットの前記他方の側辺が、前記杭の外周面の前記上側円板と前記下側円板との間に固定されており、前記少なくとも２個の前記上側引掛手段が、前記上側円板に取り付けられており、前記少なくとも２個の下側引掛手段が、前記下側円板に取り付けられていてもよい。
前記上側円板が、中央部に前記上側貫通孔が形成された円板状の上側本体（２２ａ）と、該上側本体の下面の外周面近傍に該上側本体の中心を中心とする同心円上に一定の間隔をもって形成された少なくとも２個の上側穴の中央部に、長手方向が該上側本体の径方向となるようにそれぞれ取り付けられた少なくとも２個の上側引掛ピン（２２ｃ1，２２ｃ2）とを備え、前記下側円板が、中央部に前記下側貫通孔（２３ｂ）が形成された円板状の下側本体（２３ａ）と、該下側本体の上面の外周面近傍に該下側本体の中心を中心とする同心円上に一定の間隔をもって形成された少なくとも２個の下側穴の中央部に、長手方向が該下側本体の径方向となるようにそれぞれ取り付けられた少なくとも２個の下側引掛ピン（２３ｃ1，２３2）とを備えてもよい。
前記支持杭が、円柱状の他の杭（３１）と、該他の杭の上端部に取り付けられた、かつ、該他の杭を貫通させるための他の上側貫通孔（３２ｂ）が中央部に形成された他の上側円板（３２）と、前記他の杭の下端部に取り付けられた、かつ、該他の杭を貫通させるための第２の下側貫通孔（３３ｂ）が中央部に形成された、かつ、前記他の上側円板と同じ径の他の下側円板（３３）とを備え、前記他の上側円板に、前記上側フックを引っ掛けるための少なくとも２個の他の上側引掛手段（３２ｃ1，３２ｃ2）が取り付けられており、
前記他の下側円板に、前記下側フックを引っ掛けるための少なくとも２個の他の下側引掛手段（３３ｃ1，３３ｃ2）が取り付けられていてもよい。
前記他の上側円板が、中央部に前記他の上側貫通孔（３２ｂ）が形成された円板状の他の上側本体（３２ａ）と、該他の上側本体の下面の外周面近傍に該他の上側本体の中心を中心とする同心円上に一定の間隔をもって形成された少なくとも２個の他の上側穴の中央部に、長手方向が該他の上側本体の径方向となるようにそれぞれ取り付けられた少なくとも２個の他の上側引掛ピン（３２ｃ1，３２ｃ2）とを備え、前記他の下側円板が、中央部に前記他の下側貫通孔が形成された円板状の他の下側本体（３３ａ）と、該他の下側本体の上面の外周面近傍に該他の下側本体の中心を中心とする同心円上に一定の間隔をもって形成された少なくとも２個の他の下側穴の中央部に、長手方向が該他の下側本体の径方向となるようにそれぞれ取り付けられた少なくとも２個の他の下側引掛ピン（３３ｃ1，３３2）とを備えてもよい。
【発明の効果】
【０００９】
本発明の作業場区画ネットは、以下に示す効果を奏する。
（１）ネット付支持杭を手動で転がしていってネットをネット付支持杭に巻き取ったのちに上側および下側フックを上側および下側フック引掛手段にそれぞれ引っ掛けるだけでネットを収納することができるため、特殊な網地のネットを使用しなくてもネット収納作業を容易に行うことができる。
（２）ネット収納作業を容易に行うことができるため、撤去時間の短縮化を図ることができる。
（３）ネットの絡み防止やネット敷設時間の短縮を図ることもできる。
【図面の簡単な説明】
【００１０】
【図１】本発明の一実施例による作業場区画ネット１０の構成を示す図であり、（ａ）は正面図であり、（ｂ）は上側円板２２の底面図であり、（ｃ）は下側円板２３の上面図である。
【図２】図１に示した作業場区画ネット１０を１つ用いて作業場を区画する際の紅白ネット１１の展開時の作業手順について説明するための正面図である。
【図３】図１に示した作業場区画ネット１０を２つ用いて作業場を区画する際の紅白ネット１１の展開時の作業手順について説明するための正面図である。
【図４】図１に示した作業場区画ネット１０の収納時の作業手順について説明するための上側円板２２の方から見た側面図である。
【発明を実施するための形態】
【００１１】
上記の目的を、ネットを収納する際にネット付支持杭を手動で転がしていくための手動回転手段をネット付支持杭に備えるとともに、ネットを収納した際に上側および下側フックをそれぞれ引っ掛けるための上側および下側フック引掛手段を手動回転手段に備えることにより実現した。
【実施例１】
【００１２】
以下、本発明の作業場区画ネットの実施例について図面を参照して説明する。
本発明の一実施例による作業場区画ネット１０は、図１（ａ）に示すように、紅白ネット１１と、上側および下側フック１２ａ，１２ｂ（スナップフックなど）と、ネット付支持杭２０と、支持杭３０とを具備する。
【００１３】
ここで、紅白ネット１１は、縦１ｍ×横１０〜２０ｍの矩形状のものである。
上側および下側フック１２ａ，１２ｂは、紅白ネット１１の図１（ａ）図示右側の側辺（以下、「右側辺」と称する。）の上端および下端にそれぞれ取り付けられている。
【００１４】
ネット付支持杭２０は、円柱状の杭２１と、杭２１の上端部に取り付けられた上側円板２２と、杭２１の下端部に取り付けられた、かつ、上側円板２２と同じ径の下側円板２３とを備える。
杭２１の下端部（下側円板２３よりも下側の部分）の先端は、ネット付支持杭２０を地面や受皿に立て易くするために尖っている。
【００１５】
紅白ネット１１の図１（ａ）図示左側の側辺（以下、「左側辺」と称する。）は、ネット付支持杭２０の杭２１の外周面の上側円板２２と下側円板２３との間に固定されている。
【００１６】
ネット付支持杭２０の上側円板２２は、図１（ｂ）に示すように、中央部に杭２１を貫通させるための上側貫通孔２２ｂが形成された円板状の上側本体２２ａと、上側本体２２ａの下面の外周面近傍に形成された矩形状の上側穴の中央部に長手方向が上側本体２２ａの径方向となるように取り付けられた第１の上側引掛ピン２２ｃ1と、上側本体２２ａの下面の第１の上側引掛ピン２２ｃ1と上側本体２２ａの中心を挟んで点対象の位置に（すなわち、上側本体２２ａの中心を中心とする同心円上に１８０°の間隔をもって）第１の上側引掛ピン２２ｃ1と同様に形成された第２の上側引掛ピン２２ｃ2とを備える。
【００１７】
ネット付支持杭２０の下側円板２３は、図１（ｃ）に示すように、中央部に杭２１を貫通させるための下側貫通孔２３ｂが形成された円板状の下側本体２３ａと、下側本体２３ａの上面の外周面近傍に形成された矩形状の下側穴の中央部に長手方向が下側本体２３ａの径方向となるように取り付けられた第１の下側引掛ピン２３ｃ1と、下側本体２３ａの下面の第１の下側引掛ピン２３ｃ1と下側本体２３ａの中心を挟んで点対象の位置に（すなわち、下側本体２３ａの中心を中心とする同心円上に１８０°の間隔をもって）第１の下側引掛ピン２３ｃ1と同様に形成された第２の下側引掛ピン２３ｃ2とを備える。
【００１８】
支持杭３０は、円柱状の杭３１と、杭３１の上端部に取り付けられた上側円板３２と、杭３１の下端部に取り付けられた、かつ、上側円板３２と同じ径の下側円板３３とを備える。
杭３１の下端部（下側円板３３よりも下側の部分）の先端は、支持杭３０を地面や受皿に立て易くするために尖っている。
【００１９】
支持杭３０の上側円板３２および下側円板３３は、ネット付支持杭２０の上側円板２２および下側円板２３と同様にそれぞれ構成されている。
すなわち、図示はしていないが、上側円板３２は、中央部に杭３１を貫通させるための上側貫通孔３２ｂが形成された円板状の上側本体３２ａと、上側本体３２ａの下面の外周面近傍に形成された矩形状の上側穴の中央部に長手方向が上側本体３２ａの径方向となるように取り付けられた第１の上側引掛ピン３２ｃ1と、上側本体３２ａの下面の第１の上側引掛ピン３２ｃ1と上側本体３２ａの中心を挟んで点対象の位置に（すなわち、上側本体３２ａの中心を中心とする同心円上に１８０°の間隔をもって）第１の上側引掛ピン３２ｃ1と同様に形成された第２の上側引掛ピン３２ｃ2とを備える。
また、下側円板３３は、中央部に杭３１を貫通させるための下側貫通孔３３ｂが形成された円板状の下側本体３３ａと、下側本体３３ａの上面の外周面近傍に形成された矩形状の下側穴の中央部に長手方向が下側本体３３ａの径方向となるように取り付けられた第１の下側引掛ピン３３ｃ1と、下側本体３３ａの下面の第１の下側引掛ピン３３ｃ1と下側本体３３ａの中心を挟んで点対象の位置に（すなわち、下側本体３３ａの中心を中心とする同心円上に１８０°の間隔をもって）第１の下側引掛ピン３３ｃ1と同様に形成された第２の下側引掛ピン３３ｃ2とを備える。
【００２０】
次に、以上のように構成された作業場区画ネット１０の使用方法について、図２乃至図４を参照して説明する。
まず、作業場区画ネット１０を１つ用いて作業場を区画する際の紅白ネット１１の展開時の作業手順について、図２を参照して説明する。
作業員は、図２に示すように、ネット付支持杭２０の杭２１と支持杭３０の杭３１とを作業場の両端にそれぞれ立てたのち、ネット付支持杭２０の杭２１を回転させながら紅白ネット１１を引っ張り出して、紅白ネット１１を支持杭３０まで展開（敷設）する。
【００２１】
その後、作業員は、上側フック１２ａを支持杭３０の上側円板３２に取り付けられた第１および第２の上側引掛ピン３２ｃ1，３２ｃ2のうち引っ掛け易い方に引っ掛けるとともに、下側フック１２ｂを支持杭３０の下側円板３３に取り付けられた第１および第２の下側引掛ピン３３ｃ1，３３ｃ2のうち引っ掛け易い方に引っ掛ける。
このとき、支持杭３０の上側円板３２に第１および第２の上側引掛ピン３２ｃ1，３２ｃ2を点対象の位置に設けることにより、上側引掛ピンが１個の場合では上側フック１２ａを引っ掛け易い位置に上側引掛ピンが来るように支持杭３０の杭３１を立てる必要がある点に比べて、作業が行い易くなる。支持杭３０の下側円板３３についても同様である。
【００２２】
次に、作業場区画ネット１０を２つ用いて作業場を区画する際の紅白ネット１１の展開時の作業手順について、図３を参照して説明する。
２つの作業場区画ネット１０を用いて作業場を区画する場合には、作業員は、図３に示すように、１個のネット付支持杭２０（以下、「第１のネット付支持杭２０」と称する。）の杭２１を作業場の一方の端に立て、他の１個のネット付支持杭２０（以下、「第２のネット付支持杭２０」と称する。）の杭２１を作業場の中央部に立てるとともに、支持杭３０の杭３１を作業場の他方の端に立てる。
【００２３】
その後、作業員は、第１のネット付支持杭２０の杭２１を回転させながら第１のネット付支持杭２０から紅白ネット１１（以下、「第１の紅白ネット１１」と称する。）を引っ張り出して、第１の紅白ネット１１を第２のネット付支持杭２０まで展開する。
【００２４】
その後、作業員は、第１の紅白ネット１１の右側辺の上端に取り付けられた上側フック１２ａを第２のネット付支持杭２０の上側円板２２に取り付けられた第１および第２の上側引掛ピン２２ｃ1，２２ｃ2のうち引っ掛け易い方に引っ掛けるとともに、第１の紅白ネット１１の右側辺の下端に取り付けられた下側フック１２ｂを第２のネット付支持杭２０の下側円板２３に取り付けられた第１および第２の下側引掛ピン２３ｃ1，２３ｃ2のうち引っ掛け易い方に引っ掛ける。
このとき、第２のネット付支持杭２０の上側円板２２に第１および第２の上側引掛ピン２２ｃ1，２２ｃ2を点対象の位置に設けることにより、上側引掛ピンが１個の場合では上側フック１２ａを引っ掛け易い位置に上側引掛ピンが来るように第２のネット付支持杭２０の杭２１を立てる必要がある点に比べて、作業が行い易くなる。第２のネット付支持杭２０の下側円板２３についても同様である
【００２５】
その後、作業員は、第２のネット付支持杭２０の杭２１を回転させながら第２のネット付支持杭２０から紅白ネット１１（以下、「第２の紅白ネット１１」と称する。）を引っ張り出して、第２の紅白ネット１１を支持杭３０まで展開する。
【００２６】
その後、作業員は、第２の紅白ネット１１の右側辺の上端に取り付けられた上側フック１２ａを支持杭３０の上側円板３２に取り付けられた第１および第２の上側引掛ピン３２ｃ1，３２ｃ2のうち引っ掛け易い方に引っ掛けるとともに、第２の紅白ネット１１の右側辺の下端に取り付けられた下側フック１２ｂを支持杭３０の下側円板３３に取り付けられた第１および第２の下側引掛ピン３３ｃ1，３３ｃ2のうち引っ掛け易い方に引っ掛ける。
【００２７】
次に、紅白ネット１１の収納時の作業点順について、図２に示したように作業場区画ネット１０を１つ用いて作業場を区画する場合を例として、図４（ａ）〜（ｃ）を参照して説明する。
作業員は、上側フック１２ａを支持杭３０の上側円板３２に取り付けられた第１または第２の上側引掛ピン３２ｃ1，３２ｃ2から取り外すとともに、下側フック１２ｂを支持杭３０の下側円板３３に取り付けられた第１または第２の下側引掛ピン３３ｃ1，３３ｃ2から取り外したのち、図４（ａ）に示すように、ネット付支持杭２０の杭２１を抜いて紅白ネット１１を広げたまま地面に寝かせる。
【００２８】
その後、作業員は、図４（ｂ），（ｃ）に示すように、ネット付支持杭２０の上側円板２２および下側円板２３を車輪として機能させることにより、ネット付支持杭２０を支持杭３０に向かって転がしていく。
これにより、地面に広げられた紅白ネット１１がネット付支持杭２０の杭２１に巻かれていく。
【００２９】
その後、作業員は、上側フック１２ａをネット付支持杭２０の上側円板２２に取り付けられた第１および第２の上側引掛ピン２２ｃ1，２２ｃ2のうち引っ掛け易い方に引っ掛けるとともに、下側フック１２ｂをネット付支持杭２０の下側円板２３に取り付けられた第１および第２の下側引掛ピン２３ｃ1，２３ｃ2のうち引っ掛け易い方に引っ掛ける。
これにより、たとえば上記の特許文献２に開示された巻き取り式バリケードのようにバンド（ネット固縛用紐）などを用いて紅白ネット１１を締結する必要なく、紅白ネット１１をネット付支持杭２０に収納することができる。
また、ネット付支持杭２０の上側円板２２に第１および第２の上側引掛ピン２２ｃ1，２２ｃ2を点対象の位置に設けることにより、上側引掛ピンが１個の場合では上側フック１２ａを引っ掛け易い位置に上側引掛ピンが来るように調整しながらネット付支持杭２０を転がし終える必要がある点に比べて、作業が行い易くなる。ネット付支持杭２０の下側円板２３についても同様である。
【００３０】
以上の説明では、ネット付支持杭２０の上側円板２２に２個の上側引掛ピン（第１および第２の上側引掛ピン２２ｃ1，２２ｃ2）を取り付けたが、３個以上の上側引掛ピンを上側本体２２の下面の外周面近傍に上側本体２２の中心を中心とする同心円上に一定の間隔をもって形成された３個以上の上側穴の中央部に、長手方向が上側本体２２の径方向となるようにそれぞれ取り付けてもよい。
ネット付支持杭２０の下側円板２３、支持杭３０の上側円板３２および支持杭３０の下側円板３３についても同様である。
【００３１】
また、ネット付支持杭２０の杭２１および支持杭３０の杭３１を地面に立てたが、たとえばアスファルトの場所に立てる必要がある場合には、杭２１，３１を立脚させるための受皿などを用いればよい。
【００３２】
さらに、支持杭３０は紅白ネット１１をネット付支持杭２０との間に張設する機能しか有しないため、支持杭３０の代わりに、円柱状の杭の上端部および下端部に上側引掛ピンおよび下側引掛ピンを１個ずつ取り付けた支持杭を用いてもよい。
【００３３】
さらにまた、ネット付支持杭２０の上側および下側フック引掛手段として第１および第２の上側引掛ピン２２ｃ1，２２ｃ2と第１および第２の下側引掛ピン２３ｃ1，２３ｃ2とを用いたが、たとえばＵ字金物を上側円板２２の下面の第１および第２の上側引掛ピン２２ｃ1，２２ｃ2の取付位置と下側円板２３の下面の第１および第２の上側引掛ピン２３ｃ1，２３ｃ2の取付位置に取り付けてもよい。
【符号の説明】
【００３４】
１０  作業場区画ネット
１１  紅白ネット
１２ａ  上側フック
１２ｂ  下側フック
２０  ネット付支持杭
２１，３１  杭
２２，３２  上側円板
２２ａ，３２ａ  上側本体
２２ｂ，３２ｂ  上側貫通孔
２２ｃ1，２２ｃ2，３２ｃ1，３２ｃ2  第１および第２の上側引掛ピン
２３，３３  下側円板
２３ａ，３３ａ  下側本体
２３ｂ，３３ｂ  下側貫通孔
２３ｃ1，２３ｃ2，３３ｃ1，３３ｃ2  第１および第２の下側引掛ピン
３０  支持杭
【図１】
0005797505.tif 000002
【図２】
0005797505.tif 000003
【図３】
0005797505.tif 000004
【図４】
0005797505.tif 000005